(57)【要約】【課題】  訪問者を特定するために正当性が保証された訪問者情報を読み取り、この訪問者情報を表示することができるドアホンシステムを提供する。【解決手段】  呼び出しボタンと、呼び出しボタンの押下を検出した場合に、訪問者が携帯するＩＣカードに記録された該訪問者を特定するために正当性が保証された訪問者特定情報を読み取る情報読取手段とを備えた子機と、画像表示するモニタと、呼び出しボタンの押下を検出した場合に、報知音を発音するとともに、情報読取手段によって読み取った訪問者特定情報をモニタに表示する情報表示手段とを備えた親機とからなる。【選択図】  図１
2008177929.tif 000002
【特許請求の範囲】
【請求項１】
呼び出しボタンと、
訪問者が携帯するＩＤカードに記録された該訪問者を特定するために正当性が保証された訪問者特定情報を読み取る情報読取手段とを備えた子機と、
情報を表示するモニタと、
前記呼び出しボタンの押下を検出した場合に、報知音を発音する発音部と、前記情報読取手段によって読み取った前記訪問者特定情報を前記モニタに表示する情報表示手段とを備えた親機と、
からなることを特徴とするドアホンシステム。
【請求項２】
前記訪問者特定情報は、訪問者の顔画像を含み、
前記子機は、前記訪問者の画像の撮像を行う撮像手段をさらに備え、
前記情報表示手段は、前記撮像手段による撮像画像と、前記訪問者特定情報に含まれる訪問者の顔画像とを並べて表示することを特徴とする請求項１に記載のドアホンシステム。
【請求項３】
前記親機は、前記訪問者特定情報を認証する訪問者認証手段をさらに備え、
前記情報表示手段は、前記訪問者認証手段によって前記訪問者特定情報が認証されたことを表示することを特徴とする請求項１または請求項２に記載のドアホンシステム。
【請求項４】
前記親機は、前記訪問者の音声または画像、音声及び画像に加えて前記訪問者特定情報を記録する訪問者情報記録手段をさらに備えたことを特徴とする請求項１から請求項３のいずれかに記載のドアホンシステム。
【請求項５】
呼び出しボタンを備えた子機と、情報を表示するモニタを備えた親機とからなるドアホンシステムにおける訪問者情報表示方法であって、
前記子機が、訪問者が携帯するＩＤカードに記録された該訪問者を特定するために正当性が保証された訪問者特定情報を読み取る情報読取ステップと、
前記親機が、前記子機において読み取った前記訪問者特定情報を前記モニタに表示する情報表示ステップと、
を有することを特徴とする訪問者情報表示方法。
【発明の詳細な説明】
【技術分野】
【０００１】
本発明は、訪問者の情報を表示することができるドアホンシステム及び訪問者情報表示方法に関する。
【背景技術】
【０００２】
従来から室内モニタのユーザはモニタ表示部の訪問者の映像を見なければ、訪問者が誰であるかを認識することができないという問題を解決するために、訪問者を識別するＱＲコード毎に、訪問者を識別報知する音楽情報を記憶しておき、子機側にてＱＲコードを記録した訪問者の携帯電話機を検知すると、子機側のＣＣＤカメラにて携帯電話機に表示中のＱＲコードの撮像動作を開始し、親機側にて、子機側のＣＣＤカメラにて撮像したＱＲコードに対応する音楽情報を読み出し、この音楽情報をスピーカ出力するようにしたテレビドアホン装置が知られている（例えば、特許文献１参照）。
【特許文献１】特開２００６−０５４５９１号公報
【発明の開示】
【発明が解決しようとする課題】
【０００３】
しかしながら、特許文献１に示すテレビドアホン装置にあっては、訪問者を識別するＱＲコード毎に、訪問者を識別報知する音楽情報を予め登録させておく構成であるため、訪問者を識別できるのは、予め登録されている者に限られ、予め登録されていない訪問者の識別は依然としてできないという問題がある。すなわち、特許文献１に記載の装置は、予め訪問することが想定される訪問者とそれ以外の訪問者を識別するものであるため、想定されない訪問者を音声と画像のみでドアを開けるか否かを判断しなければならないという問題がある。
【０００４】
本発明は、このような事情に鑑みてなされたもので、訪問者を特定するために正当性が保証された訪問者情報を読み取り、この訪問者情報を表示することができるドアホンシステム及び訪問者情報表示方法を提供することを目的とする。
【課題を解決するための手段】
【０００５】
本発明は、呼び出しボタンと、訪問者が携帯するＩＤカードに記録された該訪問者を特定するために正当性が保証された訪問者特定情報を読み取る情報読取手段とを備えた子機と、情報を表示するモニタと、前記呼び出しボタンの押下を検出した場合に、報知音を発音する発音部と、前記情報読取手段によって読み取った前記訪問者特定情報を前記モニタに表示する情報表示手段とを備えた親機とからなることを特徴とする。
【０００６】
本発明は、前記訪問者特定情報は、訪問者の顔画像を含み、前記子機は、前記訪問者の画像の撮像を行う撮像手段をさらに備え、前記情報表示手段は、前記撮像手段による撮像画像と、前記訪問者特定情報に含まれる訪問者の顔画像とを並べて表示することを特徴とする。
【０００７】
本発明は、前記親機は、前記訪問者特定情報を認証する訪問者認証手段をさらに備え、前記情報表示手段は、前記訪問者認証手段によって前記訪問者特定情報が認証されたことを表示することを特徴とする。
【０００８】
本発明は、前記親機は、前記訪問者の音声または画像、音声及び画像に加えて前記訪問者特定情報を記録する訪問者情報記録手段をさらに備えたことを特徴とする。
【０００９】
本発明は、呼び出しボタンを備えた子機と、情報を表示するモニタを備えた親機とからなるドアホンシステムにおける訪問者情報表示方法であって、前記子機が、訪問者が携帯するＩＤカードに記録された該訪問者を特定するために正当性が保証された訪問者特定情報を読み取る情報読取ステップと、前記親機が、前記子機において読み取った前記訪問者特定情報を前記モニタに表示する情報表示ステップとを有することを特徴とする。
【発明の効果】
【００１０】
本発明によれば、ＩＤカードから訪問者を特定するために正当性が保証された訪問者情報を読み取ってこの訪問者特定情報をモニタに表示するようにしたため、在宅者は、モニタ表示された訪問者特定情報を確認することができ、安心して玄関ドア等を開けることができるという効果が得られる。また、撮像画像とＩＤカードに記録された顔画像とを並べて表示するようにしたため、訪問者の確認を確実に行うことが可能となる。また、記訪問者特定情報が認証されたことを表示するようにしたため、訪問者の確認を確実に行うことが可能となる。
【発明を実施するための最良の形態】
【００１１】
以下、本発明の一実施形態によるドアホンシステムを図面を参照して説明する。図１は同実施形態の構成を示すブロック図である。この図において、符号１は、住宅の室内に設置される親機である。符号２は、玄関や敷地内に入る門などに設置される子機である。符号３は、訪問者が所有するＩＣカード化されたＩＤカードであり、訪問者の正当性を証明するための情報が書き込まれている。なお、ＩＣカード３は、接触式、非接触式のどちらでもよく、携帯電話に内蔵されたＩＣカードでもよい。
【００１２】
符号１１は、親機１の処理動作を統括して制御する制御部である。符号１２は、在宅の使用者が入力操作を行う入力部である。符号１３は、画像情報を表示するモニタ等から構成する情報表示手段である表示部である。符号１４は、在宅の使用者の音声を集音するマイクである。符号１５は、報知音及び訪問者の音声を発音するスピーカである。符号１６は、情報を記憶するメモリ等で構成する記憶部である。符号１７は、訪問者が所有するＩＣカード３に書き込まれている情報の正当性を確認するための認証局証明書情報（ルート証明書）が記憶された証明書記憶部である。符号１８は、認証局証明書情報等を認証局４から取得する証明書取得部である。符号１９は、子機２との間で情報通信を行う通信部である。
【００１３】
符号２１は、子機２の処理動作を統括して制御する制御部である。符号２２は、在宅者を呼び出すための呼び出しボタン等で構成する入力部である。符号２３は、訪問者の音声を集音するマイクである。符号２４は、在宅者の音声を発音するスピーカである。符号２５は、子機２の周囲の画像を撮像するカメラである。符号２６は、ＩＣカード３に書き込まれている訪問者特定情報等を読み取る情報読取手段であるカードリーダである。符号２７は、親機１との間で情報通信を行う通信部である。
【００１４】
ここで、図１を参照して、ＩＣカード３内に書き込まれている情報と、この情報の認証処理について説明する。ＩＣカード３には、所属先名（企業名等）、氏名、電話番号、顔写真の画像情報などからなる訪問者情報と、この訪問者情報から求めたハッシュ値を秘密鍵によって暗号化した署名情報と、認証局４が認証した訪問者情報に署名したその所属企業の代表者あるいは人事責任者などの個人の電子証明書情報とがＩＣカード３に書き込まれている。電子証明書情報は、一般的にはX.509証明書形式が使われ、これには  証明書形式バージョン、証明書シリアル番号、証明書発行者のディジタル署名アルゴリズム識別子、発行者のX.500識別名、有効期限、被証明者のX.500識別名、被証明者の公開鍵情報−アルゴリズム識別子と公開鍵値などを含み、これらの内容に対しての認証局によるディジタル署名が行われている。
【００１５】
これら訪問者情報と、署名情報と、電子証明書情報（これらの情報を合わせて訪問者特定情報という）とが書き込まれたＩＣカード３をカードリーダ２６に近づけると、カードリーダ２６は、ＩＣカード３内に記録されている訪問者特定情報を読み出し、この情報を制御部２１へ受け渡す。制御部２１は、この訪問者特定情報を通信部２７から親機１の通信部１９へ送信する。通信部１９は、受信した訪問者特定情報を制御部１１に送信する。訪問者特定情報を受信した制御部１１は、証明書記憶部１７にあらかじめ記憶されているルート証明書情報からルート認証局である認証局４の公開鍵を取得し、この公開鍵を用いてＩＣカード３に書き込まれている電子証明書情報及び署名のための公開鍵の正当性を認証のパスを辿って確認する。訪問者情報の正当性は、単純なパスの場合、署名情報を電子証明書に書き込まれている公開鍵を用いて暗号を解いてハッシュ値の一致で確認する。この証明書の正当性はこの証明書に署名を行ったルート証明局の公開鍵を用いて同様の確認を行う。ルート証明局の公開鍵はルート証明書に書かれており、これが改竄されると全てが無意味になるので、この配布・保管が極めて重要となる。正当性が確認された電子証明書情報から訪問者情報に署名をした個人の公開鍵を得る。この公開鍵を使用して子機２から送信された署名情報を電子署名標準に従い標準アルゴリズムを使用して復号し、ハッシュ値を取得する。また、電子証明書情報から取得した署名アルゴリズムを用いて子機２から送信された訪問者情報のハッシュ値を求め、署名情報から復号したハッシュ値と比較して、一致すれば子機２から送信された訪問者情報は、正当な情報であると認証する。
なお、これら認証の仕組みは、電子署名の標準的なプロセスであり、電子署名そのものの詳細な説明は、ここでは省略する。
【００１６】
次に、図２を参照して、図１に示すドアホンシステムにおいて訪問者が来訪したときの動作を説明する。子機２の制御部２１は、入力部（呼び出しボタン）２２の操作を監視し、呼び出しボタン２２が押されたか否かを判定する（ステップＳ１、Ｓ２）。そして、訪問者によって呼び出しボタン２２が押された場合、制御部２１は、通信部２７を介して、呼び出しボタンが押されたことを親機１へ通知する（ステップＳ３）。一方、親機１の制御部１１は、子機２からの呼び出しボタン押下の通知を監視し、呼び出しボタン２２が押されたか否かを判定する（ステップＳ４、Ｓ５）。親機１の制御部１１は、通信部１９を介して、呼び出しボタン押下の通知を受けると、スピーカ１５から訪問者があることを在宅者へ知らせるチャイムを発音する（ステップＳ６）。
【００１７】
親機１の制御部１１は、チャイムを鳴らした（ステップＳ６）後に、子機２から訪問者特定情報が送信されたか否かを監視し、通信部１９を介して訪問者特定情報の受信を試みる（ステップＳ１０）。
一方、子機２では、ステップＳ７で呼び出しボタンが押されたことを親機１に通知した後、訪問者が所持しているＩＣカード３からカードリーダー２６により、ＩＣカードに記憶された内容、即ち訪問者特定情報を読み取る（ステップＳ７）。訪問者特定情報が読み取れた場合は、読み取った訪問者特定情報を送信部２７により親機１に送信する（ステップＳ８、Ｓ９）。
そして、制御部１１は、子機２から訪問者特定情報が受信できたか否かを判定する（ステップＳ１１）。訪問者特定情報が受信できた場合、制御部１１は、前述した処理動作により、受信した訪問者特定情報（ＩＣカード３内に記録された情報）の正当性を確認し（ステップＳ１２）、正当なＩＣカードの情報（正当な訪問者特定情報）であるか否かを判定する（ステップＳ１３）。
【００１８】
この判定の結果、子機２から送信された訪問者特定情報が正当な訪問者特定情報でない（認証ができなかった情報である）場合、制御部１１は、正当な訪問者特定情報でないことを表示部１３へ表示する（ステップＳ１４）。一方、子機２から送信された訪問者特定情報が正当な訪問者特定情報であれば、制御部１１は、ＩＣカード３から読み取った訪問者特定情報を表示部１３へ表示する（ステップＳ１５）。これにより、表示部１３には、ＩＣカード３に記憶されている訪問者の情報と訪問者の顔画像が表示されることになる。
子機２がステップＳ８の判定において、ＩＣカード３の内容を読み取れなかった場合は訪問者特定情報等の親機1への送信（ステップＳ９）をスキップするため、親機１はステップＳ１０、Ｓ１１でＩＣカードの情報を受信できず、以降のステップＳ１２〜Ｓ１５の処理は行わずスキップする。あるいは、データが取得できなかったことを表示することも有効である。
【００１９】
子機２のステップＳ８により、訪問者特定情報が読み取れなかった場合、および読み取った訪問者特定情報を親機１に送信した後、子機２は、カメラ２５により訪問者を含む周辺の画像を撮像し、得られた静止画もしくは動画を画像情報として、制御部２１、通信部２７を介して、親機１に送信する（ステップＳ１６）。
親機１の通信部１９により受信された画像情報は、制御部１１により、表示部１３へ出力され、子機２のカメラ２５によって撮像した画像情報が表示される（ステップＳ１７）。これにより、表示部１３には、ＩＣカードの情報が正当な場合には、訪問者の所属先等を示す文字情報や訪問者の顔画像からなる訪問者情報、及びカメラ２５により撮像した静止画もしくは動画像が表示されることになる。そして、在宅者は、表示部１３に表示された情報や画像を確認した後、親機１の入力部１２を操作して、マイク１４、２３、およびスピーカ１５、２５を通話できる状態にして応答する（ステップＳ１８、Ｓ１９）。
【００２０】
次に、図３に示す親機１及び子機２の外観図を参照して、訪問者及び在宅者がドアホンシステムを操作する動作を説明する。まず、訪問者は、子機２に備えられている呼び出しボタン２２を押下すると、親機１のスピーカ１５から来客を知らせるチャイムが鳴動する。そして、訪問者が携帯するＩＣカード３を子機２に近づけると、内部に備えられているカードリーダ２６がＩＣカード３に記録されている訪問者特定情報を読み出し、子機２は、この読み出した情報を親機１へ送信する。また、子機２に備えられているカメラ２５により訪問者の画像を撮像して、この撮像画像を親機１へ送信する。
【００２１】
これを受けて、親機１では、ＩＣカード３内に記憶されていた訪問者情報とカメラ２５によって撮像した画像が表示部１３に表示されることになる。このとき、親機１の表示部１３には、カメラ２５によって撮像した画像とＩＣカード３内に記憶されていた訪問者の顔画像を含む訪問者情報が並んで表示されることになる。ここで、在宅者がモニタボタン１２ａを押下すると、表示部１３に表示されている画像の切り換えを行うことができる。例えば、画面全体に撮像画像を表示する、画面全体に訪問者情報を表示する、撮像画像と訪問者情報を並べて表示する等を選択して切り換え表示する。
【００２２】
次に、在宅者が通話ボタン１２ｂを押下すると、子機２との間で通話することが可能となる。ここで、在宅者が応答の声を発すると、マイク１４によって集音されて、この音声が子機１のスピーカ２４から発音する。そして、訪問者が声を発すると、この音声がマイク２３によって集音されて、この音声が親機１のスピーカ１５から発音することになる。
【００２３】
なお、在宅者が入力部１２を操作することにより、子機２のマイク２３によって集音された音声情報と、カメラ２５によって撮像した画像情報、及びＩＣカード３から読み取った訪問者特定情報の一部または全部を、親機１の記憶部１６に保存できるようにしてもよい。また、この音声情報、画像情報及び訪問者特定情報の保存機能は、不在時に動作するようにしてもよい。このようにすることにより、不在時の訪問者の情報を記録しておくことができるため、帰宅した際に訪問者の確認を行うことが可能となる。
【００２４】
これまでの説明では証明書記憶部１７に記憶されているルート証明書情報を使い続ける場合についての説明だったが、認証の度に証明書取得部１８が通信手段を用いて予め書き込まれた情報に基づき最新の証明書情報を安全に取得し、この証明書情報を使用するようにしてもよい。通常、証明書記憶部１７に記憶されているルート証明書情報を用いることにより、安全に最新のルート証明書を獲得でき、最新かつ正当なＣＲＬ（証明書失効リスト）も取得することができる。また、初期状態では証明書記憶部１７にはルート証明書を書き込まず、認証局４と安全に通信するための暗号鍵や安全なＩＤを書き込んでおき、これらを用いて安全にルート証明書を獲得することもできる。得られたＣＲＬ（証明書失効リスト）により、ＩＣカード３から取得した電子証明書情報が現在有効かどうか、さらに証明書記憶部１７に記憶されているルート証明書情報が現在有効かどうか、定期的にチェックすることが可能であり、これにより訪問者特定情報の不正使用を防止できる。
【００２５】
更に、商業登記に基づく電子認証の電子証明書、あるいは認証局が認証した属性認証局の発行した属性証明書をＩＣカードに書き込み、親機１がこれらの証明書に基づき署名者の権限を確認するように構成することも有効である。この時、訪問者の所属企業が属性認証局となり、訪問者の属性証明書をＩＣカードに保持することも可能である。
【００２６】
属性証明書の発行動作を図４を用いて説明する。認証局４ａの認証を受けた属性証明局３０は訪問者の属性証明書を発行する。属性証明書は、訪問者の所属部署等を証明するもので、カード書き込み機３１によりＩＣカード３ａに書き込まれる。属性証明局３０、カード書き込み機３１は、訪問者所属企業３２内に設置される。
訪問者は、例えば顧客を訪問する前に属性証明書を獲得するために、ＩＣカード３ａをカード書き込み機３１にセットする。カード書き込み機３１は、ＩＣカード３ａからＩＤ番号を読み取るか、個人用カード書き込み機３１そのものに書き込まれた個人のＩＤ番号を認識するか、もしくは手操作によりカード書き込み機３１に入力されるＩＤ番号を読み取る。カード書き込み機３１は、ＩＣカード３ａに対応したＩＤ番号を属性証明局３０に送り、属性証明書の発行を要求する。属性証明局３０は人事データ等のデータベースとＩＤ番号に基づき属性証明書を発行し、カード書き込み機３１に送る。カード書き込み機３１はＩＣカード３ａに属性証明書を上書きもしくは新規に書き込む。また、ＩＣカード３ａには属性証明局３０の電子証明書を予め書き込んでおくか、または属性証明書と同時にカード書き込み機３１により書き込む。
訪問者は、最新の属性証明書の書き込まれたＩＣカード３ａを携帯して顧客を訪問する。顧客側は、これまでの実施形態の説明と同様のプロセスにより正当な訪問者情報を獲得できる。カード書き込み機３１は、訪問者が所属する企業に出勤した時に、タイムレコーダのようにＩＣカード３ａに書き込むよう設置する。また、訪問者が会社に出勤しない場合は、安全性が確認された通信手段で属性証明局３０と接続する。このような動作により属性証明書の有効期間を例えば１日とすることができ、毎日属性証明書を発行することによりＣＲＬによる確認を行わなくても退職後の不正使用を効果的に防止できる。
【００２７】
別の実施形態として、訪問者情報の全てをＩＣカードに格納するのではなく、その一部、または全部を通信を経由して訪問者の所属企業から取得することも考えられる。この場合、ＩＣカードの内容で最も重要なのは、訪問者の所属企業と安全に通信するための情報で、所属企業のインターネット・アドレスや暗号通信のための鍵などである。更に訪問者情報の一部であるＩＤ番号等や署名情報及び電子証明書情報もＩＣカードに格納している。訪問者情報の取得方法を図５を用いて説明する。
訪問者は、これまでの実施形態の説明同様、ＩＣカード３ｂの情報をドアホン子機２ｂに読み取らせる。子機２ｂは、読み取った情報を親機１ｂに送る。親機１ｂは、受け取った情報である訪問者の所属企業に設置された訪問者情報サーバー４０に安全にアクセスするための所属企業のインターネット・アドレスや暗号鍵等を受け取り、署名情報や電子証明書情報によりその内容の正当性を確認する。次に、親機１ｂは訪問者情報サーバー４０にアクセスし、訪問者のＩＤ番号等の、訪問者を特定する情報を電子証明書情報から得た公開鍵で暗号化して、訪問者情報サーバー４０に電話回線やインターネット回線を通して送る。訪問者情報サーバー４０では、受け取った訪問者のＩＤ番号等を前記公開鍵と対応した秘密鍵で解読し、このＩＤ番号に対応した訪問者情報を前記秘密鍵で暗号化して親機１ｂに送る。親機１ｂは受け取った訪問者情報を公開鍵を用いて暗号を解き、表示等に用いる。これによりＩＣカード３ｂに訪問者の顔写真の画像情報等の大容量のデータを格納する必要が無くなり、ＩＣカード３ｂに搭載するメモリ等のコストが安くなる。また、追加情報の提供や問い合わせ対応も容易になる。
【００２８】
また、前述した説明においては、ＩＣカードから読み込んだ訪問者特定情報を証明書情報に基づいて、認証する処理を説明したが、必要に応じてこの認証処理を省略した簡易的運用も考えられる。
ＩＣカードに、正当性が保証され、書き換えができないように訪問者特定情報が記録されている場合は、このようなＩＣカードを携帯している訪問者は、十分に身元が保証されるとともに、子機と親機との間で情報書き換えなどの情報操作することが困難であるため、認証処理を省略することも可能である。ただし、ＩＣカードに記録されている情報が暗号化等の処理を施されていない場合は、ＩＣカードの偽造が比較的容易であるため、前述したようにＩＣカードから読み込んだ訪問者特定情報を証明書情報に基づいて、認証する処理を行うことが望ましい。
【００２９】
このように、ＩＣカードから訪問者を特定するために正当性が保証された訪問者特定情報を読み取って、訪問者に関する各種情報を訪問者情報として表示部に表示するようにしたため、在宅者は、表示された訪問者情報を確認することができ、安心して応答した後、玄関ドア等を開けることができるという効果が得られる。また、撮像画像とＩＣカードに記録された顔画像とを並べて表示するようにしたため、訪問者の確認を確実に行うことができる。また、記訪問者特定情報が認証されたことを表示するようにしたため、訪問者の確認を確実に行うことができる。
【００３０】
以上の説明では、ＩＤカードとしてＩＣカードを用いた例を説明したが、バーコード印刷によるＩＤカードや、磁気カードを用いたＩＤカードにおいても、企業名や顔の特徴点データを暗号化したデータを用いることにより、企業名の確認や顔の特徴点データの確認などから本人確認を行うことができる。この場合、書き込まれているデータは電子署名されているため改竄は直ぐに発見され、たとえコピーされたデータであっても本人確認を正しく実施することができる。
【００３１】
なお、図１における処理部の機能を実現するためのプログラムをコンピュータ読み取り可能な記録媒体に記録して、この記録媒体に記録されたプログラムをコンピュータシステムに読み込ませ、実行することにより訪問者情報表示を行ってもよい。
ここで言う「コンピュータシステム」とは、ＯＳや周辺機器等のハードウェアを含むものとする。また、「コンピュータ読み取り可能な記録媒体」とは、フレキシブルディス
ク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３３】
【図１】本発明の一実施形態の構成を示すブロック図である。
【図２】図１に示す親機１及び子機２の動作を示すフローチャートである。
【図３】図１に示す親機１及び子機２の外観を示す説明図である。
【図４】本発明の他の実施形態の構成を示すブロック図である。
【図５】本発明の他の実施形態の構成を示すブロック図である。
【符号の説明】
【００３４】
１・・・親機、１１・・・制御部、１２・・・入力部、１３・・・表示部、１４・・・マイク、１５・・・スピーカ、１６・・・記憶部、１７・・・証明書記憶部、１８・・・証明書取得部、１９・・・通信部、２・・・子機、２１・・・制御部、２２・・・入力部、２３・・・マイク、２４・・・スピーカ、２５・・・カメラ、２６・・・カードリーダ、２７・・・通信部、３・・・ＩＣカード、４・・・認証局、３０・・・属性証明局、３１・・・カード書き込み機、３２・・・訪問者所属企業、４０・・・訪問者情報サーバー
【図１】
2008177929.tif 000003
【図２】
2008177929.tif 000004
【図３】
2008177929.tif 000005
【図４】
2008177929.tif 000006
【図５】
2008177929.tif 000007